(57)【要約】【課題】布団干しにおいて、布団を掛ける固定物との間の摩擦抵抗を少なくし、持ち運び容易な布団干し具を得る。【解決手段】台座１ｃに支柱受け２を取り付け、この支柱受け２に足掛け４ｄが設けられた支柱３ｂを回転自在に取り付け、上端には水平状態に横軸６ｃが固着し、この横軸６ｃの両端に布団の横幅より狭い取り付け間隔で回転自在に一対のリング５ａとストッパー８を取り付ける。【選択図】　　　図３
2004089230.tif 000002
【特許請求の範囲】
【請求項１】
任意の長さの横軸（６ａ、６ｂ、６ｃ、６ｄ）には、任意の横幅と任意の形状の外径の大きさからなるリング（５ａ、５ｂ、５ｃ、５ｄ）が複数取り付けられ、前記横軸は任意の高さ位置に水平状態に保持された構成のリング付き干し具。
（図１〜７乃至１７〜２８参照）
【請求項２】
横軸（６ａ、６ｂ、６ｃ、６ｄ）に取り付けられるリング（５ａ、５ｂ、５ｃ、５ｄ）は、回転自在に一対取り付けられ、この一対のリングの取り付け横間隔は、布団（６１）の横幅より小さい横間隔に取り付けられた請求項１記載のリング付き干し具。（図１、２、３、５乃至１７〜２８参照）
【請求項３】
横軸（６ａ、６ｂ、６ｃ、６ｄ）に取り付けられた一対のリング（５ａ、５ｂ、５ｃ、５ｄ）の外側の側面の直近には、前記横軸に固着して一対のストッパー（８）が取り付けられた請求項１乃至２記載のリング付き干し具。
（図１〜５、１８、２０、２２、２７参照）
【請求項４】
横軸（６ａ、６ｂ、６ｃ、６ｄ）に取り付けられた一対のリング（５ａ、５ｂ、５ｃ、５ｄ）の内側の側面の直近には、前記横軸に固着して一対のストッパー（８）が取り付けられた請求項１〜３のいずれかに記載のリング付き干し具。
（図２〜５、１８、２０、２２、２７参照）
【請求項５】
一対のリング（５ａ、５ｂ、５ｃ、５ｄ）の外側の側面の直近に取り付けられている一対のストッパー（８）は、横軸　（６ａ、６ｃ）長さの末端部に設けられた横軸長さから形成された請求項１〜４のいずれかに記載のリング付き干し具。
（図１、３、５、１８、２０、２２、２７参照）
【請求項６】
リング（５ａ、５ｂ、５ｃ、５ｄ）とストッパー（８）が取り付けられて任意の高さに保持される横軸（６ａ、６ｃ）は、１本の支柱（３ａ、３ｂ、３ｃ、３ｅ、３ｆ、３ｇ）によって保持されるТ字形状をなした請求項１〜５のいずれかに記載のリング付き干し具。（図１、３、５、８、９、２９、４１、４２参照）
【請求項７】
リング（５ａ、５ｂ、５ｃ、５ｄ）とストッパー（８）が取り付けられて任意の高さに保持される任意の長さの横軸（６ｂ）は、任意の横幅間隔の２本の支柱（３ａ、３ｆ、３ｇ）によって保持される構成の請求項１〜４のいずれかに記載のリング付き干し具。（図２、８、９参照）
【請求項８】
リング（５ａ、５ｂ、５ｃ、５ｄ）とストッパー（８）が取り付けられて任意の高さに保持される横軸（６ｄ）は、前記横軸の横長さと同じ横幅間隔の２本の支柱（３ｄ）で保持される構成の請求項１〜５のいずれかに記載のリング付き干し具。
（図４参照）
【請求項９】
任意の横幅と奥行きを持った台座（１ａ、１ｂ、１ｃ、１ｄ）には、支柱（３ａ、３ｂ、３ｄ）を上下に出し入れ構造に自立させて取り付けられる支柱受け（２）が固着して取り付けられ、その支柱受けに上端に横軸（６ａ、６ｂ、６ｃ、６ｄ）が取り付けられた支柱（３ａ、３ｂ、３ｄ、３ｆ、３ｇ）を差し込んで取り付けた請求項１〜８のいずれかに記載のリング付き干し具。（図１〜４、７、８参照）
【請求項１０】
台座（１ｅ）にはねじ穴（１９）が設けられ、上端に横軸（６ａ、６ｂ、６ｃ、６ｄ）が取り付けられた支柱（３ｃ）の下端にはねじ軸（１８）が取り付けられ、そのねじ軸を前記ねじ穴に取り付けて支柱を前記台座に自立させた請求項１〜８のいずれかに記載のリング付き干し具。（図５参照）
【請求項１１】
任意の横幅と奥行きを持った台座（１ｆ）には、台座（１ｆ）を支える複数のキャスター（２０）と少なくとも１個の踏みストッパー（２２）が設けられ、この踏みストッパーは下方のストッパー部（２３）とそのストッパー部（２３）の上端に踏み材（２４）を固着した構成からなり、これを台座（１ｆ）に設けられているスプリング（２１）を介して前記台座（１ｆ）に踏みストッパー（２２）を前記ストッパー部（２３）の　下方先端高さは、床面（６８）よりわずかに浮いた状態に形成された請求項１〜１０のいずれかに記載のリング付き干し具。（図７参照）
【請求項１２】
台座（１ｆ）には上下に貫通した穴（２５）が設けられ、その穴（２５）の上面側にはスプリング（２１）が置き止めされ、このスプリング（２１）と前記穴（２５）に踏みストッパー（２２）の縦長棒状からなるストッパー部（２３）を出し入れ自在に取り付け、前記スプリング（２１）上端に置き止めして前記踏みストッパー（２２）が支えられる構成になった請求項１１記載のリング付き干し具。
（図７参照）
【請求項１３】
横軸（６ａ、６ｂ、６ｃ、６ｄ）に取り付けられるリング（５ｂ）の側面には貫通して少なくとも１個以上の竿穴（１０）が設けられた請求項１〜１２のいずれかに記載のリング付き干し具。（図１１参照）
【請求項１４】
横軸（６ａ、６ｂ、６ｃ、６ｄ）に取り付けられるリング（５ｃ）の側面には、前記リングの外周の一部を開放状態にした溝形状の竿穴（１０ａ）がリング横幅を貫通して設けられた請求項１〜１３のいずれかに記載のリング付き干し具。
（図１２参照）
【請求項１５】
横軸（６ａ、６ｂ、６ｃ、６ｄ）に回転自在に介設するリング（５ｄ）の軸穴（９ａ）には、この軸穴（９ａ）の外周線に連設して１個又は複数のＵ字状の溝（１１）を設け、この溝の大きさは横軸に設けられているストッパーを納置できる大きさに形成された請求項１〜１４のいずれかに記載のリング付き干し具。（図１３参照）
【請求項１６】
横軸（６ａ、６ｂ、６ｃ、６ｄ）に取り付けられるリング（５ａ、５ｂ、５ｃ、５ｄ）は円形の外形形状からなる請求項１〜１５のいずれかに記載のリング付き干し具。（図１０〜１３参照）
【請求項１７】
支柱（３ｆ）上端に取り付けられる横軸（６ａ、６ｂ、６ｃ）には、軸直角に下方に伸延するさし込み軸（１７）部を有する軸受け（１５ａ）が固着して取り付けられ、このさし込み軸部をパイプ形状の前記支柱の上端に挿入して、支柱（３ｆ）に出し入れ及び水平回転自在に横軸（６ａ、６ｂ、６ｃ）を取り付けた請求項６又は７のいずれかに記載のリング付き干し具。（図８参照）
【請求項１８】
支柱（３ｇ）に取り付けられる横軸（６ａ、６ｂ、６ｃ）には、軸受け（１５ｂ）が固着して設けられ、その軸受けに軸直角の下向きに縦深いさし込み穴（１６）を設け、このさし込み穴に前記支柱（３ｇ）の上端部を挿入し、支柱（３ｇ）に出し入れ及び水平回転自在に横軸（６ａ、６ｂ、６ｃ）を取り付けた請求項６又は７のいずれかに記載のリング付き干し具。（図９参照）
【請求項１９】
支柱（３ａ、３ｄ、３ｆ、３ｇ）の取り付けられた台座（１ａ、１ｂ、１ｃ、１ｄ）には、任意の高さの足掛け（４ａ、４ｂ、４ｃ）が固着して取り付けられた請求項１〜１８のいずれかに記載のリング付き干し具。（図１、２、４、８、９参照）
【請求項２０】
台座（１ｃ、１ｅ）に取り付けられた支柱（３ｂ、３ｃ、３ｅ、３ｆ、３ｇ）の下方の任意の高さには、固着して足掛け（４ｄ）が取り付けられた請求項１〜１８記載のリング付き干し具。（図３、５、８、９参照）
【請求項２１】
リング（５ａ、５ｂ、５ｃ、５ｄ）を設けた横軸（６ａ、６ｂ、６ｃ、６ｅ、６ｆ、６ｇ）が取り付けられた支柱（３ａ、３ｂ、３ｃ、３ｅ、３ｆ、３ｇ）の中間の任意の高さ位置には、その支柱の軸芯から手前外側に突起した布団掛け（１４）が取り付けられた請求項１〜７及び９〜２０のいずれかに記載のリング付き干し具。
（図５、６参照）
【請求項２２】
支柱（３ａ、３ｂ、３ｄ、３ｆ、３ｇ）の取り付けられる支柱受け（２ａ）はベッド（６０）に固着して取り付けられた請求項１〜８及び１３〜１８、２０、２１のいずれかに記載のリング付き干し具。（図１４、１５、１６参照）
【請求項２３】
ベッド（６０）に取り付けられた支柱受け（２ａ）は、ベッド（６０）の前後の内後部側に設けられた請求項２２記載のリング付き干し具。
（図１４、１５、１６参照）
【請求項２４】
４本足の末広がり形状からなるフレームと、前記４本足の内手前側の２本足の主フレームには、左右の主フレーム間に渡して一段又は複数のステップが備えられ、前記主フレームの上部には取っ手を兼ねた横フレームが設けられている。そして後部側の足の支えフレームとで自立した踏み台構造又は前記ステップの最上段の上方には奥行きの広い天板が設けられた踏み台構造において、前記主フレーム（３１）の上部に設けられている取っ手を兼ねた横フレームに替えて、主フレーム（３１）の上端には左右の主フレームを貫通して主フレーム外側に一対のリング（５ａ、５ｂ、５ｃ、５ｄ）が設けられた横軸（６ａ、６ｂ、６ｃ）を固着して取り付けた構成からなる踏み台構造にリングを設けた請求項１〜５及び１３〜１６のいずれかに記載のリング付き干し具。（図１７、１８、１９参照）
【請求項２５】
一対のリング（５ａ、５ｂ、５ｃ、５ｄ）が取り付けられた横軸（６ａ、６ｂ、６ｃ）の中間にスライド自在に任意の横幅間隔で取り付けられた一対の輪付きさし込み軸受け（３６）は、前記横軸の外径より大きい内径を有する輪と、その輪の外周に外方向に伸延するさし込み軸を固着して設けた形状からなり、前記輪に前記横軸（６ａ、６ｂ、６ｃ）を通して取り付け、この輪付きさし込み軸受け（３６）を上記踏み台構造の上部の横フレーム（３５）又は主フレーム（３１）に任意の横幅間隔で縦長又は貫通した一対のさし込み穴（３７）を設け、このさし込み穴（３７）に前記輪付きさし込み軸受け（３６）のさし込み軸部を挿入して踏み台構造に着脱自在に取り付けられる請求項２４記載の踏み台構造用リング付き干し具。
（図２０、２１参照）
【請求項２６】
一対のリング（５ａ、５ｂ、５ｃ、５ｄ）が取り付けられた横軸（６ａ、６ｂ、６ｃ）中間には、一対の締付け軸受け（３８）が任意の横幅間隔でスライド自在に取り付けられ、この締付け軸受け（３８）はコの字状の形状をした立上り辺と向かい合わせの辺からなり、立上り辺に近い位置の向い合せの両辺には前記横軸（６ａ、６ｂ、６ｃ）の外径より大きい内径の貫通した穴を設け、前記向い合せのどちらか一方の辺の立上り辺から離れた位置には、押しボルト（３９）が取り付けられた構成からなり、前記貫通した穴に前記横軸（６ａ、６ｂ、６ｃ）を通して取り付け、上記踏み台構造の上端の主フレーム（３１）にコの字状の締付け軸受け（３８）を締付けて取り付けられる請求項２４記載の踏み台構造用リング付き干し具。
（図２２、２３参照）
【請求項２７】
末広がりの４本足構造の主フレームには、前後の主フレームの左右のフレーム間に渡して複数のステップが固着して設けられ、前記主フレーム上端に２枚の横長の天板が前後に平行に設けられ、前記平行な天板の間には天板の横全長に渡って隙間が設けられた脚立構造において、一対のリング（５ａ、５ｂ、５ｃ、５ｄ）が取り付けられた横軸（６ａ、６ｂ、６ｃ）の中間には、任意の横幅の軸受け（４６）が前記脚立構造の天板（４３）の横全長より小さい取り付け間隔で一対固着して取り付けられ、前記軸受け（４６）は、上部の広い奥行き幅（４８）と横軸（６ａ、６ｂ、６ｃ）の下面高さより下の任意の縦長さを有する下部の狭い奥行き幅（４９）から形成され、前記広い奥行き幅（４８）と狭い奥行き幅（４９）との境には、軸受け（４６）の前後に奥行き幅の差から生じる下向きにフラットな面をした段差面（５１）が形成され、この軸受け（４６）下部の狭い奥行き幅（４９）部を前記脚立構造上部に設けられている隙間（４４）に挿入し、軸受け（４６）の段差面（５１）を天板（４３）上面に掛け置きして脚立構造に着脱自在に取り付けられる請求項１〜５及び１３〜１６のいずれかに記載の脚立構造用リング付き干し具。（図２４〜２８参照）
【発明の詳細な説明】
【０００１】
【発明の属する技術分野】
本発明は、主に布団などの寝具を干す場合において、布団の横幅より短い横長さの横軸には複数の車輪形状のリングが取り付けられ、この横軸を持ち運び自由な自立式構造で一定の高さに保持し、リングに布団を掛けリングの回転を利用して布団干しを容易にするリング付き干し具に関する。
【０００２】
【従来の技術】
従来、布団を干す場合、主に屋外に固定して設置されている竿やベランダの手摺又は室内においてはパイプ形状の布団干し具に掛けて干していた。
【０００３】
【発明が解決しようとする課題】
布団を干す場合の取り付け取り外し時において、布団を押したり引いたりする場合、竿や手摺との間に大きなすべり抵抗が発生して布団や竿を傷める恐れがあった。
【０００４】また、竿や手摺に２つ折り状態に掛けられた布団の内側には空間が少なく、しかも固定状態の布団への陽射しは布団表面の２５％位しか当らず乾きにくい干し方であった。
【０００５】
また、竿や手摺は屋外に固定状態であるので、布団の収納や日頃の使用位置から離れた場所にあった。そして天候や時間に制約される干し方であった。
【０００６】
また、従来の室内の布団干し具にあっても、すべり抵抗が大きく大きな持ち上げ高さと力が必要であった。
【０００７】
また、布団の取り付け取り外し時において、両手を使いやすくするためにたとえば片足を上げ足のもも部に布団を仮置きする場合、片足で立つ状態になり不安定であった。
【０００８】
本発明は、布団をもも部に乗せやすくして両手を自由に使えるようにし、布団を持ち上げる高さを低くすると共に乗せ降し時のすべり抵抗を小さくし、かつ布団干し具の構造を布団の横幅より小さくし又一部セパレート構造及びキャスター付きにして運び及び収納容易な構造にして布団干しを楽にすることを目的とし、更に竿を取り付けて洗濯干しができる便利さも提供するものである。
【０００９】
【課題を解決する為の手段】
上記目的を達成するために、本発明のリング付き干し具並びに踏み台構造用リング付き干し具及び脚立構造用リング付き干し具においては、２つ折り状態の布団の高さよりやや高い高さ位置に水平状態に保持される横軸に、任意の横幅と外形の大きさの主に円形の外形形状からなる車輪状のリングを１対又は任意の複数個回転自在に取り付け、リングの横移動を防ぐためリングの側面の直近には、止め具及びストッパーを横軸に固着して取り付けている。
【００１０】
そして、リングの取り付け最大横幅間隔は布団の横幅より狭い間隔に取り付けられている。
【００１１】
そして、リングの付いた水平状態の横軸は１本の支柱から支えられてТ字形状に形成されている。（図１、３、５参照）
【００１２】
また、横軸は２本の支柱で支えられる変形鳥居状に形成され安定した自立構造になっている。（図２参照）
【００１３】
また、複数のリングが設けられた横軸は、横軸両端の支柱を門型形状に形成された安定した自立構造になっている。（図４参照）
【００１４】
また、横軸には多数のリングを取り付けると、幅広の布団や毛布及びシーツなどのやわらかいものであっても、干し物を非回転体に触れにくくして、すべり抵抗が発生するのを防止する。（図４参照）
【００１５】
また、上記いずれの支柱の下部は、固着して設けられている支柱受けに支柱を出し入れ自在及びねじ取合いにして取り付けて持ち運び及び収納しやすい構成になっている。
【００１６】
また、上記支柱受け又はねじ取合部は、自立の安定を図るため任意の横幅と奥行きからなる台座に固着して設けられ、台座又は支柱には任意の高さの足掛けが取り付けられ図２９で示すようもも部に布団を置きやすくしている。
（図１〜５参照）
【００１７】
また、支柱の任意の高さ位置には布団を乗せ掛ける布団掛けが設けられ、図２８で示すようにより安定した布団支えにしている。（図５、６参照）
【００１８】
また、布団干し具の移動を容易にするために台座にはキャスターが取り付けられ、更に布団などの取り付け取り外し時の布団干し具のぐらつきや移動を防止する為に台座には、足掛けを兼ねた踏みストッパーが設けられ、その踏みストッパーに足を乗せ掛けると該ストッパーが床に押し付けられて効果を得る構造にしている。
（図７、４２参照）
【００１９】
また、上記支柱受けは、ベッドの主に後部側に取り付けられ、寝具の使用場所から最も近い所に干せる便利さと、台座がいらない安価な構成となっている。
（図１４〜１６参照）
【００２０】
また、横軸にはさし込み軸又はさし込み穴を設けて支柱との取り合い部を出し入れ自在のセパレート構造にして、分解及び収納容易にしている。（図８〜９参照）
【００２１】
また、１本足構造の支柱下部の支柱受けとの取り合い部及び支柱上部の横軸との取り合い部は回転自在な取り付けとして図３２で示すごとく干した布団の向きを日射方向に回転自由に向けられるようにしている。
（図１、３、５、７、８、９参照）
【００２２】
また、リングには竿穴が設けられ少なくとも一対以上の複数のリングの竿穴に竿を通して竿を一定の高さに保持できるようにして、他の物も干せるようにしている。（図１１、３９、４０参照）
【００２３】
また、竿穴はリング外周の一部を開放状態にしたＵ字上の溝形状にして竿を取り付けやすくしている。（図１２、３９、４０参照）
【００２４】
また、リング中央部に設けられている軸穴には、軸穴の外周に連設してＵ字状の溝が設けられ、図３６、３７で示すようにリングをスライドさせて横軸に設けられているストッパーを前記溝内に納置状態にしてリングの回転を制御し、リングへの竿の取り付けの安定を図っている。（図１３、３６、３７参照）
【００２５】
また、横軸を図１７で示す４本足のフレームとステップの付いた踏み台構造のフレーム上部に固着して取り付け図３３で示すようにステップに足を乗せてもも部に布団を置きやすくした、踏み台構造を利用した踏み台兼用の安定した自立構造の干し具している。
【００２６】
また、図２０、２１で示すように踏み台構造の上部に一対のさし込み穴を設け、横軸にはさし込み軸と輪っかの付いた輪付きさし込み軸受けをスライド自在に取り付け、前記さし込み穴に前記軸付きさし込み軸受けのさし込み軸部を出し入れ自在に挿入して取り付け、取り外し容易な構造にして踏み台兼用の安定した自立構造の干し具にしている。
【００２７】
また、別の踏み台兼用の布団干しでは図２２、２３で示すように横軸にスライド自在に設けられている押しボルトのついたコの字状の締付け軸受けで踏み台構造の左右のフレームに締付けて取り付ける構造にし、取り付け取り外しの容易な安定した自立構造の干し具にしている。
【００２８】
また、図２７、２８で示すように横軸には一対の軸受けを設け、これを図２４、２５、２６で示すように４本足の脚立構造の上部の天板に置き止めして脚立の高さと構造を利用した布団干し具を提供している。そして図３３と同じようにステップを利用して布団干しを容易にしている。
【００２９】
また、図３０、３４、３６、４１で示すように２つ折り状態の布団の内側には、リングの外径の大きさと末広がりの踏み台や脚立構造の形状にそって空間が設けられて風通しを良くする構成にしている。
【００３０】
【発明の実施の形態】
発明の実施の形態を実施例にもとずき図面を参照にして説明する。
図１において、リング付き干し具の下部には任意の横幅と奥行きを持った台座１ａを設け、その台座１ａにパイプ状の支柱受け２を直立状態に固着して取り付ける。その支柱受け２近くには任意の高さの足掛け４ａが支柱受け２と台座１ａに固着して設けられている。そして支柱受け２には任意の高さの棒状の支柱３ａが出し入れ回転自在に取り付けられ、その支柱３ａの上端には横水平状態に横軸６ａが固着して取り付けられ、この横軸６ａの両端には、布団の横幅より狭い取り付け横間隔で一対のリング５ａが回転自在に取り付けられている。そして横軸６ａの末端部にはストッパー８が取り付けられている。
【００３１】
図２に示されるリング付き干し具の実施例では、台座１ｂには２個の支柱受け２が固着し、その支柱受け２に渡して足掛け４ｂが固着して取り付けられている。そして、その支柱受け２には任意の高さの支柱３ａが出し入れ自在に取り付けられ、その２本の支柱３ａの上端には、回転自在な一対のリング５ａとリング両側面直近にストッパー８が取り付けられた横軸６ｂが固着して取り付けられている。そして横軸６ｂの横長さはリング５ａの取り付け横幅より広い横長さに形成されている。
【００３２】
図３に示されるリング付き干し具の実施例では、台座１ｃに設けられた支柱受け２には任意の高さの支柱３ｂが出し入れ回転自在に取り付けられ、その支柱３ｂの下方部には左右方向に突起した足掛け４ｄが固着し、支柱３ｂの上端には横水平状態に横軸６ｃが固着して取り付けられ、この横軸６ｃには一対のリング５ａが回転自在に取り付けられている。そして横軸６ｃのリング５ａの両側面直近にはストッパー８が横軸６ｃに固着して取り付けられている。
【００３３】
図４に示されるリング付き干し具の実施例では、台座１ｄの横幅と略同じ横間隔で２個の支柱受け２が設けられ、この支柱受け２に渡して足掛け４ｃが取り付けられている。その左右の支柱受け２に支柱３ｄと横軸６ｄが一体構造の門型形状になった構成の支柱３ｄが出し入れ自在に取り付けられている。前記横軸６ｄには回転自在に一対のリング５ａとそのリング５ａの両側面の直近にストッパー８を固着して設けている。また、一対のリングの間にはもう１個のリング５ａとストッパー８を取り付けた場合の想像図になっている。
【００３４】
図５、６に示されるリング付き干し具の実施例では、台座１ｅにはねじ穴１９が設けられ、支柱３ｃ下端に設けられているねじ軸１８を前記ねじ穴１９に取り付けて支柱３ｃを自立させている。そして支柱３ｃの中間部には左右方向に突起した足掛け４ｄと手前側に突起した布団掛け１４が取り付けられ、上端には一対のリング５ａと、そのリング５ａの両側面直近にストッパー８を設けた横軸６ｂが水平状態に取り付けられている。
【００３５】
図７に示されるリング付き干し具の実施例では、台座１ｆにはキャスター２０と少なくとも１個の踏みストッパー２２が取り付けられている。この踏みストッパー２２は縦長のストッパー部２３と上端に踏み材２４が固着した構成からなり、台座１ｆに設けられている穴２５にストッパー部２３を出し入れ自在に挿入し、台座１ｆ上面と踏み材２４下面との間にはスプリング２１が取り付けられている。このストッパー部２３の下端部は床面６８より少し浮いた状態に取り付けられている。
【００３６】
図８に示される実施例では、横軸６ａ、６ｂ、６ｃにはさし込み軸１７部を有する軸受け１５ａが固着し、そのさし込み軸１７部をパイプ形状の支柱３ｆに出し入れ回転自在に挿入して取り付け、支柱３ｆに対して横軸６ａ、６ｃが水平回転自在になっている。
【００３７】
図９に示される実施例では、横軸６ａ、６ｂ、６ｃに軸受け１５ｂを固着して設け、その軸受け１５ｂには下方に向って縦長いさし込み穴１６が設けられ、そのさし込み穴１６に支柱３ｇを出し入れ回転自在に取り付け、支柱３ｇに対して横軸６ａ、６ｃが水平回転自在になっている。
【００３８】
図１０に示される実施例では、横軸６ａ、６ｂ、６ｃ、６ｄに取り付けられたリング５ａの側面形状を示し、円形の中央部には軸穴９が設けられている。
【００３９】
図１１に示される実施例では、横軸６ａ、６ｂ、６ｃ、６ｄに取り付けられたリング５ｂには軸穴９と竿の外径より大きい内径の竿穴１０が２個設けられている
【００４０】
図１２に示される実施例では、横軸６ａ、６ｂ、６ｃ、６ｄに取り付けられたリング５ｃには、軸穴９とリング５ｃの外周の一部を開放状態にした竿の外径より大きい内幅のＵ字溝状の竿穴１０ａが２個設けられている。
【００４１】
図１３に示される実施例では、横軸６ａ、６ｂ、６ｃ、６ｄに取り付けられたＵ字溝状の竿穴１０ａを２個設けたリング５ｄには、中央部に設けられている軸穴９ａに連設してＵ字状の溝１１が２個設けられている。
【００４２】
図１４、１５、１６に示されるリング付き干し具の実施例では、図１〜４で示された布団干し具の内台座１ａ、１ｂ、１ｃ、１ｄに替えて、支柱受け２ａをベッド６０の後部に固着し、ベッド６０に布団干し具を設けている。
【００４３】
図１７、１８、１９に示される実施例では、４本足の踏み台構造３０において、前部足の左右の主フレーム３１と後部足の左右の支えフレーム３２で自立し、前記主フレーム３１には２段のステップ３３が設けられ、上方には奥行き幅の広い天板３４が取り付けられている。そして、主フレーム３１上部には取っ手を兼ねた横軸６ｃが固着して取り付けられ、横軸６ｃのフレーム３１外側の両端にはリング５ｄが回転自在に取り付けられ、リング両側面の直近にはストッパー８が横軸６ｃに固着して設けられて踏み台兼用のリング付き干し具を形成している。
【００４４】
図２０、２１に示される実施例では、４本足の踏み台構造３０ａの上部には左右の主フレーム３１ａに渡して取っ手を兼ねた横フレーム３５が取り付けられている。その横フレーム３５に貫通したさし込み穴３７を一対設けている。そして両端に回転自由な一対のリング５ｄとストッパー８を設けた横軸６ｃとその横軸６ｃには、スライド自在に輪っかとさし込み軸部から構成された輪付き軸受け３６が設けられ、そのさし込み軸部を前記横フレーム３５に設けられているさし込み穴３７に挿入して踏み台構造３０ａに着脱自在にリング付き干し具を設けている。
【００４５】
図２２、２３に示される実施例では、両端に回転自由な一対のリング５ｄとストッパー８を設けた横軸６ｃとその横軸６ｃには、スライド自在に押しボルト３９を設けたコの字状の締付け軸受け３８が設けられている。そして、４本足の踏み台構造３０ｂの左右の主フレーム３１ａ上端に前記コの字状の締付け軸受け３８を取り付け、踏み台構造３０ｂに着脱自在にリング付き干し具を取り付けられる構成にしている。
【００４６】
図２４，２５，２６，２７，２８、に示される実施例では、図２７，２８に示す両端に回転自在に一対のリング５ｄ及びストッパー８を設けた横軸６ｃとその横軸６ｃ中間には、固着して一対の軸受け４ｂが取り付けられている。そしてその軸受け４６は上部の広い上部奥行き幅４８と横軸６ｂ下面高さより下の狭い下部奥行き幅４９からなり、上部と下部の奥行き幅の境には軸受け４６の前後に下向きにフラットな段差面５１が形成されている。そしてこの段差面５１を後述する脚立構造４０の上端に置き止めして取り付ける。すなわち、４本足の主フレーム４１と前後の主フレーム４１間に渡してステップ４２を３段設け、主フレーム４１上端には天板４３が前後に２枚設けられ、その天板４３間には左右の主フレーム４１の横幅５２の全長に渡って隙間４４が設けられた脚立構造４０において、前記一対の軸受け４６の狭い下部奥行き幅４９部を前記隙間４４出し入れ自在に挿入し、軸受け４６に形成されている段差面５１を天板４３の上面に掛け置きして、脚立構造４０の上端にリング付き干し具を着脱自在に取り付けられる構成にしている。
【００４７】
図２９，３０に示される実施例では、台座１ａに設けられた支柱受け２に支柱３ａの中間高さに布団掛け１４を設けた支柱３ａと上部にリング５ｄを設けたリング付き干し具に布団６１を乗せ降しする場合、干し具下方に設けられている足掛け４ａに片足をもたせかけ自立構造の干し具のぐらつきを防止し、もも部６３と布団掛け１４で布団６１を支えやすくし、両手の自由度を大きくしながらリング５ｄに布団６１を乗せ掛け、前方に押しやるとリング５ｄの回転によって小さな力で布団６１を図２９に示すように掛けることができる。また下ろす場合においても手前下方に引くとリング５ｄの回転により簡単に引き下ろすことができる。そしてリング高さは２つ折り状態の布団６１が床などに触れない程度の高さが良いと思われる。
【００４８】
図３１に示される実施例では、Ｔ字状の布団干し具に布団６１を取り付けた状態の一部断面の正面図を示し、一対のリング５ｄのリング横間隔６７は布団６１の横幅より小さく設けられ、布団６１の両端と中央部のたわみをできるだけ小さくする取り付け幅にしている。
【００４９】
図３２に示される実施例では、図３０で示す布団干し具に布団６１を取り付けた状態の平面図を示し、水平回転自在に設けられた横軸６ｃの回転により日射方向６６と布団６１の幅広面ができるだけ直角になるように調整することを可能にしている。
【００５０】
図３３、３４で示される実施例では、図１７〜１９で示す踏み台構造３０の上部に設けられたリング５ｄに布団６１を掛ける場合、ステップ３３に片足を乗せかけるともも部６３がフラットな状態又はそれに近い状態になり布団６１を支えやすくし、そして自由になった両手でリング５ｄに布団６１を乗せ掛け更に布団６１前方に押しやるとリング５ｄの回転により容易に踏み台構造３０に設けられたリング５ｄに布団６１を掛けることになる。
【００５１】
図３５に示される実施例では、図３１で示されたのと同じく踏み台構造３０の上部に設けられたリング５ｄのリング横間隔６７は布団６１の横幅より小さくし、たわみができるだけ小さくなる間隔に構成している。
【００５２】
図３６に示される実施例では、図２４で示される脚立構造４０の上端に置き止めして設けられたリング５ｄに図３３で示される操作と同じ要領で布団６１が取り付けられた状態を示している。
【００５３】
図３７、３８に示される実施例では、横軸６ｃに回転自在に取り付けられたリング５ｄの回転を制御してリング５ｄに設けられている竿穴１０ａに安定した竿６２の取り付けを得るために、リング５ｄに設けられている溝１１に横軸６ｃに設けられているストッパー８を納置状態になるようリング５ｄをストッパー８側にスライドさせストッパー８に溝１１を掛け止めしてリングの回転を制御する。そして回転止めされたリング５ｄに設けられている竿穴１０ａに竿６２を掛け止めして取り付ける。
【００５４】
図３９、４０に示される実施例では、台座１ａに設けられた支柱３ａと横軸６ｃがＴ字状の布団干し具には回転止めされた一対のリング５ｂの竿穴１０ａに竿６２が取り付けられ、その竿６２及び前記横軸６ｃには多数のハンガー６４とタコ足ハンガー６５が取り付けられる構成になっている。
【００５５】
図４１に示される実施例では、ベッド６０の後部側に支柱受け２ａが設けられ、その支柱受け２ａに図３で示す足掛け４ｄが設けられた支柱３ｂが取り付けられ、上部にはリング５ａが配置された布団干し具に布団６１が２つ折り状態で取り付けられている。
【００５６】
図４２に示される実施例では、キャスター２０を設けた布団干し具に布団６１を取り付ける場合、足掛けを兼ねた踏みストッパー２２に片足を乗せ掛けると床面６８より浮いていた踏みストッパー２２の下端が床面６８に押し付けられて布団干し具のぐらつきや移動を防止し、そしてもも部６３と布団干し具の支柱３ｅ及び布団掛け１４で布団６１を支えて布団干し作業を行う。
【００５７】
【発明の効果】
本発明は、以上説明したように構成されているので、以下に記載されるような効果が得られる。
【００５８】
回転自由なリングに布団を干すため、リングに乗せた布団をかかえずに小さな力で押したり引いたりする動作で布団干し作業ができる。したがって腰に負担がかからず高齢者や体の不自由な方などに効果が大きい。
【００５９】
また、リング外径の大きさにより２つ折り状態の布団の内側に十分な空間が得られるので風通しが良く乾燥を促進する。
【００６０】
また、リングが一対以上の多数設けられた場合にあっては、シーツや毛布などの薄い寝具であっても非回転体に触れにくい構成にして、高く持ち上げたりせずにシーツや毛布を傷めにくくする。そして図２に示す横長い横軸の干し具ではシーツや毛布などの横はみだし部を支え安定した取り付けを得ている。
【００６１】
そして、足掛けが設けられた布団干し具では足掛けに片足をもたせかけて、布団干し具のぐらつきを防ぎ、もも部に布団を乗せ掛けて両手を自由な状態にできるので布団干し作業が楽になる。
【００６２】
また、布団掛けが設けられた布団干し具では、もも部と布団掛けに布団を持たせかけるのでもも部に負担が減少しより安定した状態で布団干し作業ができる。
【００６３】
また、キャスターと踏みストッパーが取り付けられた布団干し具にあっては、該ストッパーが足掛けを兼ねているのでコンパクトな構成で布団干し具を固定でき、しかも寝床近くで布団を取り付けて日当りの良い場所に容易に移動することも可能になる。また邪魔になりにくい所に移動しやすい。
【００６４】
また、踏み台構造や脚立構造にリングが設けられたものにあってはステップに足を持たせかけると、上記足掛けと同じような効果が得られる。
【００６５】
そして、足掛けやステップに足をもたせかけると干し具を支える構造物のぐらつきを防止できる。
【００６６】
また、リングの取り付けられた横軸又は横軸を支える支柱が水平方向に回転自由なものにあっては、日射方向に布団の向きを調整できるので２つ折り状態の布団の前後に日射を受けられるようにするのが容易である。
【００６７】
また、布団干し具又は干し具が設けられる踏み台や脚立構造物は持ち運びが容易であるので邪魔になりにくい日当りの良い場所に干すことができる。
【００６８】
また、踏み台や脚立構造にリングを設けたものにあっては、布団干しと踏み台や脚立の本来の使用目的と兼用できるので便利である。
【００６９】
また、室内で使用できるので室外に干す場所がない方，高齢や体が不自由で外に干せない方など天候や時間を気にせずに外出が可能である。よって共働きの家庭などでも安心して干せる。
【００７０】
また，布団干し作業中布団が非回転体に強く触れることがないので布団を傷めることを防止している。
【００７１】
また，ベットに設けられた場合にあっては，布団を持ち運びせずに，そして邪魔になりにくいので病気や介護を受けられている方々などに便利である。
【００７２】
また，布団を掛けていない状態の横軸にはハンガーが掛けられるので外から帰宅した時など汗ばんだり雨で濡れた衣類などを手軽に掛けることができる。
【００７３】
また，リングに竿を取り付けられる干し具にあっては、シーツや毛布など薄い寝具や大量の洗濯物などを干すことが容易になる。
【００７４】
また、上記竿はリングに設けたＵ字状の穴に取り付けるので取り付け取り外しが簡単である。
【００７５】
また、図３７、３８で示すようにリングはスライド移動が容易な構造であるのでリングを横軸に着脱自在にできる。よってリングを外した状態では横軸は竿を兼ねた状態になり、衣類などを掛けるハンガー掛けに使用する効果も得られる。
【図面の簡単な説明】
【図１】一実施の布団干し具の正面図である。
【図２】一実施の布団干し具の変形例を示す正面図である。
【図３】一実施の布団干し具の変形例を示す正面図である。
【図４】一実施の布団干し具の変形例を示す正面図である。
【図５】一実施の布団干し具の変形例を示す正面図である。
【図６】図５のＸ１−Ｘ１線による実施例の矢視図である。
【図７】一実施の布団干し具の台座部を示す正面図である。
【図８】支柱と横軸の接続部の実施例を示す縦断面図である。
【図９】支柱と横軸の接続部の実施例を示す縦断面図である。
【図１０】横軸に一実施のリングを取り付けた状態を示す側面図である。
【図１１】横軸に一実施のリングを取り付けた状態を示す側面図である。
【図１２】横軸に一実施のリングを取り付けた状態を示す側面図である。
【図１３】横軸に一実施のリングを取り付けた状態を示す側面図である。
【図１４】布団干し具をベットに取り付けた実施例を示す側面図である。
【図１５】図１３のＸ２−Ｘ２線による実施例による矢視図である。
【図１６】図１３のＸ２−Ｘ２線による別の形態の矢視図である。
【図１７】一実施の踏み台構造の布団干し具を示す斜視図である。
【図１８】一実施の踏み台構造の布団干し具の上部を示す正面図である。
【図１９】図１８のＸ３−Ｘ３線による矢視図である。
【図２０】踏み台構造上部に取り付ける一実施の布団干し具の取り付け例を示す正面図である。
【図２１】図２０のＸ４−Ｘ４線による矢視図である。
【図２２】踏み台構造上部に取り付ける一実施の布団干し具の取り付け例を示す正面図である。
【図２３】図２２のＸ５−Ｘ５線による矢視図である。
【図２４】脚立構造に一実施の布団干し具を取り付けた状態を示す斜視図である。
【図２５】脚立構造上部に一実施の布団干し具を取り付けた状態を示す正面図である。
【図２６】図２５のＸ６−Ｘ６線による矢視図である。
【図２７】一実施の布団干し具の一部断面の正面図である。
【図２８】図２７のＸ７−Ｘ７線による矢視図である。
【図２９】一実施の布団干し具の使用例を示す側面図である。
【図３０】一実施の布団干し具の使用例を示す側面図である。
【図３１】一実施の布団干し具の使用例を示す一部断面の正面図である。
【図３２】一実施の布団干し具の使用例を示す平面図である。
【図３３】一実施の踏み台構造の布団干し具の使用例を示す側面図である。
【図３４】一実施の踏み台構造の布団干し具の使用例を示す側面図である。
【図３５】一実施の踏み台構造の布団干し具の使用例を示す一部断面の正面図である。
【図３６】脚立構造に取り付けた一実施の布団干し具の使用例を示す側面図である。
【図３７】リングの回転止めの実施例を示す縦断面図である。
【図３８】図３７のＸ８−Ｘ８線による矢視図である。
【図３９】一実施の布団干し具に竿とハンガーを取り付けた状態を示す正面図である。
【図４０】図３９のＸ９−Ｘ９線による矢視図である。
【図４１】ベッドに取り付けた一実施の布団干し具の使用例を示す側面図である。
【図４２】一実施の布団干し具の使用例を示す側面図である。
【符号の説明】
１ａ　：　台座　　　　　　　　　　　　　８　：　ストッパー
１ｂ　：　台座　　　　　　　　　　　　　９　：　軸穴
１ｃ　：　台座　　　　　　　　　　　　　９ａ　：　軸穴
１ｄ　：　台座　　　　　　　　　　　　　１０　：　竿穴
１ｅ　：　台座　　　　　　　　　　　　　１０ａ　：　竿穴〃
１ｆ　：　台座　　　　　　　　　　　　　１１　：　溝
２　：　支柱受け　　　　　　　　　　　　１４　：　布団掛け
２ａ　：　支柱受け　　　　　　　　　　　１５ａ　：　軸受け
３ａ　：　支柱　　　　　　　　　　　　　１５ｂ　：　軸受け
３ｂ　：　支柱　　　　　　　　　　　　　１６　：　さし込み穴
３ｃ　：　支柱　　　　　　　　　　　　　１７　：　さし込み軸
３ｄ　：　支柱　　　　　　　　　　　　　１８　：　ねじ軸（ボルト）
３ｅ　：　支柱　　　　　　　　　　　　　１９　：　ねじ穴
３ｆ　：　支柱　　　　　　　　　　　　　２０　：　キャスター
３ｇ　：　支柱　　　　　　　　　　　　　２１　：　スプリング
４ａ　：　足掛け　　　　　　　　　　　　２２　：　踏みストッパー
４ｂ　：　足掛け　　　　　　　　　　　　２３　：　ストッパー部
４ｃ　：　足掛け　　　　　　　　　　　　２４　：　踏み材
４ｄ　：　足掛け　　　　　　　　　　　　２５　：　穴
５ａ　：　リング　　　　　　　　　　　　３０　：　踏み台構造
５ｂ　：　リング　　　　　　　　　　　　３０ａ　：踏み台構造
５ｃ　：　リング　　　　　　　　　　　　３０ｂ　：踏み台構造
５ｄ　：　リング　　　　　　　　　　　　３１　：　主フレーム
６ａ　：　横軸　　　　　　　　　　　　　３１ａ　：　主フレーム
６ｂ　：　横軸　　　　　　　　　　　　　３２　：　支えフレーム
６ｃ　：　横軸　　　　　　　　　　　　　３３　：　ステップ
６ｄ　：　横軸　　　　　　　　　　　　　３４　：　天板
３５　：　横フレーム
３６　：　輪付きさし込み軸受け
３７　：　さし込み穴
３８　：　締付け軸受け
３９　：　押しボルト
４０　：　脚立構造
４１　：　主フレーム
４２　：　ステップ
４３　：　天板
４４　：　隙間
４６　：　軸受け
４８　：　上部奥行き幅
４９　：　下部奥行き幅
５１　：　段差面
５２　：　横幅
６０　：　ベッド
６１　：　布団
６２　：　竿
６３　：　もも部
６４　：　ハンガー
６５　：　タコ足ハンガー
６６　：　日射方向
６７　：　リング横間隔
６８　：　床面
【図１】
2004089230.tif 000003
【図２】
2004089230.tif 000004
【図３】
2004089230.tif 000005
【図４】
2004089230.tif 000006
【図５】
2004089230.tif 000007
【図６】
2004089230.tif 000008
【図７】
2004089230.tif 000009
【図８】
2004089230.tif 000010
【図９】
2004089230.tif 000011
【図１０】
2004089230.tif 000012
【図１１】
2004089230.tif 000013
【図１２】
2004089230.tif 000014
【図１３】
2004089230.tif 000015
【図１４】
2004089230.tif 000016
【図１５】
2004089230.tif 000017
【図１６】
2004089230.tif 000018
【図１７】
2004089230.tif 000019
【図１８】
2004089230.tif 000020
【図１９】
2004089230.tif 000021
【図２０】
2004089230.tif 000022
【図２１】
2004089230.tif 000023
【図２２】
2004089230.tif 000024
【図２３】
2004089230.tif 000025
【図２４】
2004089230.tif 000026
【図２５】
2004089230.tif 000027
【図２６】
2004089230.tif 000028
【図２７】
2004089230.tif 000029
【図２８】
2004089230.tif 000030
【図２９】
2004089230.tif 000031
【図３０】
2004089230.tif 000032
【図３１】
2004089230.tif 000033
【図３２】
2004089230.tif 000034
【図３３】
2004089230.tif 000035
【図３４】
2004089230.tif 000036
【図３５】
2004089230.tif 000037
【図３６】
2004089230.tif 000038
【図３７】
2004089230.tif 000039
【図３８】
2004089230.tif 000040
【図３９】
2004089230.tif 000041
【図４０】
2004089230.tif 000042
【図４１】
2004089230.tif 000043
【図４２】
2004089230.tif 000044